(57)【要約】本発明は、モバイル端末、アンテナ制御方法及び記録媒体に関し、フレキシブルディスプレイを採用したモバイル端末に適用され、前記モバイル端末は、本体と、前記本体に設けられたフレキシブルディスプレイとを含み、前記フレキシブルディスプレイは、展開状態と収納状態との間で切り替えるように構成され、前記展開状態は、前記フレキシブルディスプレイを第１の面積に展開した状態であり、前記収納状態は、前記フレキシブルディスプレイを第２の面積に縮小した状態であり、前記第１の面積は前記第２の面積よりも大きく、前記フレキシブルディスプレイのエッジには、ミリ波アンテナモジュールが設けられている。前記アンテナ制御方法は、前記フレキシブルディスプレイが前記収納状態にあるとき、前記ミリ波アンテナモジュールが非作動状態にあるように制御するステップと、前記フレキシブルディスプレイが前記展開状態にあるとき、前記ミリ波アンテナモジュールが作動状態にあるように制御するステップと、を含む。【選択図】図１
2021533582.tif 000002
【特許請求の範囲】
【請求項１】
本体と、前記本体に設けられたフレキシブルディスプレイとを含み、
前記フレキシブルディスプレイは、展開状態と収納状態との間で切り替えるように構成され、前記展開状態は、前記フレキシブルディスプレイを第１の面積に展開した状態であり、前記収納状態は、前記フレキシブルディスプレイを第２の面積に縮小した状態であり、前記第１の面積は前記第２の面積よりも大きく、
前記フレキシブルディスプレイのエッジには、ミリ波アンテナモジュールが設けられている
ことを特徴とするモバイル端末。
【請求項２】
前記フレキシブルディスプレイは矩形であり、前記フレキシブルディスプレイの第１の矩形エッジは、前記本体に固定されており、
前記フレキシブルディスプレイの第２の矩形エッジ、第３の矩形エッジ及び第４の矩形エッジの中の少なくとも１つの矩形エッジには、前記ミリ波アンテナモジュールが設けられている
ことを特徴とする請求項１に記載のモバイル端末。
【請求項３】
前記フレキシブルディスプレイは矩形であり、前記フレキシブルディスプレイの第２の矩形エッジの中央部分は、前記本体に固定され、前記フレキシブルディスプレイの第４の矩形エッジの中央部分は、前記本体に固定されており、前記第２の矩形エッジ及び前記第４の矩形エッジは、平行な２つの矩形エッジであり、
前記フレキシブルディスプレイの第１の矩形エッジ、前記第２の矩形エッジ、第３の矩形エッジ、第４の矩形エッジの中の少なくとも１つの矩形エッジには、前記ミリ波アンテナモジュールが設けられている
ことを特徴とする請求項１に記載のモバイル端末。
【請求項４】
前記ミリ波アンテナモジュールは、離散的に設けられた少なくとも２つのグループである
ことを特徴とする請求項２又は３に記載のモバイル端末。
【請求項５】
各グループの前記ミリ波アンテナモジュールは、少なくとも２つのミリ波アンテナからなるアンテナアレイを含む
ことを特徴とする請求項４に記載のモバイル端末。
【請求項６】
前記本体内には、制御モジュールがさらに設けられており、前記制御モジュールは、前記ミリ波アンテナモジュールに電気的に接続される
ことを特徴とする請求項５に記載のモバイル端末。
【請求項７】
前記制御モジュールは、
前記フレキシブルディスプレイが前記収納状態にあるとき、前記ミリ波アンテナモジュールが非作動状態にあり、
前記フレキシブルディスプレイが前記展開状態にあるとき、前記ミリ波アンテナモジュールが作動状態にあるように制御するように構成される
ことを特徴とする請求項６に記載のモバイル端末。
【請求項８】
前記制御モジュールは、フォアグラウンドアプリケーションプログラムのタイプに基づき、前記フレキシブルディスプレイが前記収納状態又は前記展開状態にあるように制御するように構成される
ことを特徴とする請求項７に記載のモバイル端末。
【請求項９】
前記本体は、状態検出ユニットが設けられており、前記制御モジュールは、前記状態検出ユニットに接続され、
前記制御モジュールは、前記状態検出ユニットにより出力された信号に基づき、前記フレキシブルディスプレイが前記収納状態又は前記展開状態にあることを決定するように構成される
ことを特徴とする請求項７に記載のモバイル端末。
【請求項１０】
前記状態検出ユニットは、前記本体内に設けられたホールセンサ、及び前記フレキシブルディスプレイ側に設けられた磁石を含み、
前記ホールセンサは、前記フレキシブルディスプレイが前記収納状態にあるとき、前記制御モジュールに第１の信号を出力し、前記フレキシブルディスプレイが前記展開状態にあるとき、前記制御モジュールに第２の信号を出力するように構成される
ことを特徴とする請求項９に記載のモバイル端末。
【請求項１１】
前記本体内には、アンテナスイッチがさらに設けられており、
前記アンテナスイッチが第１のスイッチ状態にあるとき、前記ミリ波アンテナモジュールは非作動状態にあり、
前記アンテナスイッチが第２のスイッチ状態にあるとき、前記ミリ波アンテナモジュールは作動状態にある
ことを特徴とする請求項１〜３のいずれか１項に記載のモバイル端末。
【請求項１２】
前記本体内には、メインアンテナがさらに設けられており、
前記メインアンテナは、メインセットアンテナ、又は、前記メインセットアンテナ及びダイバーシティアンテナを含む
ことを特徴とする請求項１〜３のいずれか１項に記載のモバイル端末。
【請求項１３】
前記本体内には、制御モジュールがさらに設けられており、前記制御モジュールは、前記メインアンテナ及び前記ミリ波アンテナモジュールにそれぞれ電気的に接続される
ことを特徴とする請求項１２に記載のモバイル端末。
【請求項１４】
前記制御モジュールは、前記フレキシブルディスプレイが前記収納状態にあるとき、前記メインアンテナが作動状態にあり、且つ前記ミリ波アンテナモジュールが非作動状態にあるように制御し、前記フレキシブルディスプレイが前記展開状態にあるとき、前記メインアンテナが非作動状態にあり、且つ前記ミリ波アンテナモジュールが作動状態にあるように制御するように構成される
ことを特徴とする請求項１３に記載のモバイル端末。
【請求項１５】
前記制御モジュールは、フォアグラウンドアプリケーションプログラムのタイプに基づき、前記フレキシブルディスプレイが前記収納状態又は前記展開状態にあるように制御するように構成される
ことを特徴とする請求項１３に記載のモバイル端末。
【請求項１６】
前記本体は、状態検出ユニットが設けられており、前記制御モジュールは、前記状態検出ユニットに接続され、
前記制御モジュールは、前記状態検出ユニットにより前記フレキシブルディスプレイが前記収納状態又は前記展開状態にあることを検出するように構成される
ことを特徴とする請求項１３に記載のモバイル端末。
【請求項１７】
請求項１〜１０のいずれか１項に記載のモバイル端末に適用されるアンテナ制御方法であって、
前記フレキシブルディスプレイが前記収納状態にあるとき、前記ミリ波アンテナモジュールが非作動状態にあるように制御するステップと、
前記フレキシブルディスプレイが前記展開状態にあるとき、前記ミリ波アンテナモジュールが作動状態にあるように制御するステップと、を含む
ことを特徴とするアンテナ制御方法。
【請求項１８】
フォアグラウンドアプリケーションプログラムのタイプに基づき、前記フレキシブルディスプレイが前記収納状態又は前記展開状態にあるように制御するステップをさらに含む
ことを特徴とする請求項１７に記載のアンテナ制御方法。
【請求項１９】
前記本体は、状態検出ユニットが設けられており、
前記状態検出ユニットにより前記フレキシブルディスプレイが前記収納状態又は前記展開状態にあることを検出するステップをさらに含む
ことを特徴とする請求項１７に記載のアンテナ制御方法。
【請求項２０】
請求項１２〜１６のいずれか１項に記載のモバイル端末に適用されるアンテナ制御方法であって、
前記フレキシブルディスプレイが前記収納状態にあるとき、前記メインアンテナが作動状態にあり、且つ前記ミリ波アンテナモジュールが非作動状態にあるように制御するステップと、
前記フレキシブルディスプレイが前記展開状態にあるとき、前記メインアンテナが非作動状態にあり、且つ前記ミリ波アンテナモジュールが作動状態にあるように制御するステップと、を含む
ことを特徴とするアンテナ制御方法。
【請求項２１】
フォアグラウンドアプリケーションプログラムのタイプに基づき、前記フレキシブルディスプレイが前記収納状態又は前記展開状態にあるように制御するステップをさらに含む
ことを特徴とする請求項２０に記載のアンテナ制御方法。
【請求項２２】
前記本体は、状態検出ユニットが設けられており、
前記状態検出ユニットにより前記フレキシブルディスプレイが前記収納状態又は前記展開状態にあることを検出するステップをさらに含む
ことを特徴とする請求項２０に記載のアンテナ制御方法。
【請求項２３】
請求項１１項に記載のモバイル端末に適用されるアンテナ制御方法であって、
前記アンテナスイッチが第１のスイッチ状態にあるとき、前記ミリ波アンテナモジュールは非作動状態にあるステップと、
前記アンテナスイッチが第２のスイッチ状態にあるとき、前記ミリ波アンテナモジュールは作動状態にあるステップと、を含む
ことを特徴とするアンテナ制御方法。
【請求項２４】
プロセッサーにより実行されるときに請求項１７〜２３のいずれか１項に記載のアンテナ制御方法を実現するためのコンピュータプログラムが格納された
ことを特徴とするコンピュータ読み取り可能な記録媒体。
【発明の詳細な説明】
【技術分野】
【０００１】
本発明は、モバイル端末の分野に関し、特に、モバイル端末、アンテナ制御方法及び記録媒体に関する。
【背景技術】
【０００２】
フレキシブルディスプレイは、任意に曲げることができ、柔軟性がよいなどの特徴を備える。フレキシブルディスプレイは、すでに多くのモバイル端末に応用されている。ミリ波は、近年の間、通信発展のホットスポットであり、波長が短く、放射面が狭いなどの特徴を備えるため、ミリ波アンテナの良好な受信／送信距離を保証するためには、１つのミリ波モジュールに複数のミリ波アンテナを配置する必要があり、全方向の信号放射要件を満たすためには、複数のミリ波モジュールを設ける必要がある。ミリ波アンテナをモバイル端末内に配置することは、技術発展のトレンドである。
【０００３】
フレキシブルディスプレイを採用したモバイル端末の場合、モバイル端末の使用時にフレキシブルディスプレイを展開してスクリーン面積を拡大することができ、モバイル端末を携帯する時にフレキシブルディスプレイを収納してスクリーン面積を減少することができ、使用環境に応じてスクリーンサイズを選択することで、モバイル端末の使用がより便利になる。
【０００４】
ただし、モバイル端末の本体は非常に小さく、ミリ波アンテナモジュールを収容するのに十分なスペースがない。
【発明の概要】
【発明が解決しようとする課題】
【０００５】
本発明の実施例は、フレキシブルディスプレイにミリ波アンテナモジュールを収容するのに十分なスペースがない問題を解決可能なモバイル端末、アンテナ制御方法及び記録媒体を提供する。上記の技術手段は、下記の通りである。
【課題を解決するための手段】
【０００６】
本発明の一態様によれば、モバイル端末が提供され、前記モバイル端末は、本体と、前記本体に設けられたフレキシブルディスプレイとを含み、
前記フレキシブルディスプレイは、展開状態と収納状態との間で切り替えるように構成され、前記展開状態は、前記フレキシブルディスプレイを第１の面積に展開した状態であり、前記収納状態は、前記フレキシブルディスプレイを第２の面積に縮小した状態であり、前記第１の面積は前記第２の面積よりも大きく、
前記フレキシブルディスプレイのエッジには、ミリ波アンテナモジュールが設けられている。
一選択可能な実施例では、前記フレキシブルディスプレイは矩形であり、前記フレキシブルディスプレイの第１の矩形エッジは、前記本体に固定されており、
前記フレキシブルディスプレイの第２の矩形エッジ、第３の矩形エッジ及び第４の矩形エッジの中の少なくとも１つの矩形エッジには、前記ミリ波アンテナモジュールが設けられている。
前記矩形は矩形又は角丸矩形であってもよい。
【０００７】
一選択可能な実施例では、前記フレキシブルディスプレイは矩形であり、前記フレキシブルディスプレイの第２の矩形エッジの中央部分は、前記本体に固定され、前記フレキシブルディスプレイの第４の矩形エッジの中央部分は、前記本体に固定されており、前記第２の矩形エッジ及び前記第４の矩形エッジは、平行な２つの矩形エッジであり、
前記フレキシブルディスプレイの第１の矩形エッジ、前記第２の矩形エッジ、第３の矩形エッジ、第４の矩形エッジの中の少なくとも１つの矩形エッジには、前記ミリ波アンテナモジュールが設けられている。
【０００８】
前記矩形は矩形又は角丸矩形であってもよい。
【０００９】
一選択可能な実施例では、前記ミリ波アンテナモジュールは、離散的に設けられた少なくとも２つのグループである。
【００１０】
一選択可能な実施例では、各グループの前記ミリ波アンテナモジュールは、少なくとも２つのミリ波アンテナからなるアンテナアレイを含む。
【００１１】
一選択可能な実施例では、前記本体内には、制御モジュールがさらに設けられており、前記制御モジュールは、前記ミリ波アンテナモジュールに電気的に接続される。
【００１２】
一選択可能な実施例では、前記制御モジュールは、前記フレキシブルディスプレイが前記収納状態にあるとき、前記ミリ波アンテナモジュールが非作動状態にあり、前記フレキシブルディスプレイが前記展開状態にあるとき、前記ミリ波アンテナモジュールが作動状態にあるように制御するように構成される。
【００１３】
一選択可能な実施例では、前記制御モジュールは、フォアグラウンドアプリケーションプログラムのタイプに基づき、前記フレキシブルディスプレイが前記収納状態又は前記展開状態にあるように制御するように構成される。
【００１４】
一選択可能な実施例では、前記本体は、状態検出ユニットが設けられており、前記制御モジュールは、前記状態検出ユニットに接続され、
前記制御モジュールは、前記状態検出ユニットにより出力された信号に基づき、前記フレキシブルディスプレイが前記収納状態又は前記展開状態にあることを決定するように構成される。
【００１５】
一選択可能な実施例では、前記状態検出ユニットは、前記本体内に設けられたホールセンサ、及び前記フレキシブルディスプレイ側に設けられた磁石を含み、
前記ホールセンサは、前記フレキシブルディスプレイが前記収納状態にあるとき、前記制御モジュールに第１の信号を出力し、前記フレキシブルディスプレイが前記展開状態にあるとき、前記制御モジュールに第２の信号を出力するように構成される。
【００１６】
一選択可能な実施例では、前記本体内には、アンテナスイッチがさらに設けられており、
前記アンテナスイッチが第１のスイッチ状態にあるとき、前記ミリ波アンテナモジュールは非作動状態にあり、
前記アンテナスイッチが第２のスイッチ状態にあるとき、前記ミリ波アンテナモジュールは作動状態にある。
【００１７】
一選択可能な実施例では、前記本体内には、メインアンテナがさらに設けられており、
前記メインアンテナは、メインセットアンテナ、又は、前記メインセットアンテナ及びダイバーシティアンテナを含む。
【００１８】
一選択可能な実施例では、前記本体内には、全地球測位システムＧＰＳ受信アンテナ、ワイヤレスフィディリティーＷＩＦＩアンテナのうちの少なくとも１つがさらに設けられている。
【００１９】
一選択可能な実施例では、前記本体内には、制御モジュールがさらに設けられており、前記制御モジュールは、前記メインアンテナ及び前記ミリ波アンテナモジュールにそれぞれ電気的に接続される。
【００２０】
一選択可能な実施例では、前記制御モジュールは、前記フレキシブルディスプレイが前記収納状態にあるとき、前記メインアンテナが作動状態にあり、且つ前記ミリ波アンテナモジュールが非作動状態にあるように制御し、前記フレキシブルディスプレイが前記展開状態にあるとき、前記メインアンテナが非作動状態にあり、且つ前記ミリ波アンテナモジュールが作動状態にあるように制御するように構成される。
【００２１】
一選択可能な実施例では、前記制御モジュールは、フォアグラウンドアプリケーションプログラムのタイプに基づき、前記フレキシブルディスプレイが前記収納状態又は前記展開状態にあるように制御するように構成される。
【００２２】
一選択可能な実施例では、前記本体は、状態検出ユニットが設けられており、前記制御モジュールは、前記状態検出ユニットに接続され、
前記制御モジュールは、前記状態検出ユニットにより前記フレキシブルディスプレイが前記収納状態又は前記展開状態にあることを検出するように構成される。
【００２３】
本発明の他の態様によれば、上記の態様に記載のモバイル端末に適用されるアンテナ制御方法が提供され、前記方法は、
前記フレキシブルディスプレイが前記収納状態にあるとき、前記ミリ波アンテナモジュールが非作動状態にあるように制御するステップと、
前記フレキシブルディスプレイが前記展開状態にあるとき、前記ミリ波アンテナモジュールが作動状態にあるように制御するステップと、を含む。
【００２４】
一選択可能な実施例では、前記方法は、
フォアグラウンドアプリケーションプログラムのタイプに基づき、前記フレキシブルディスプレイが前記収納状態又は前記展開状態にあるように制御するステップをさらに含む。
【００２５】
一選択可能な実施例では、前記本体は、状態検出ユニットが設けられており、前記方法は、前記状態検出ユニットにより前記フレキシブルディスプレイが前記収納状態又は前記展開状態にあることを検出するステップをさらに含む。
【００２６】
本発明の他の態様によれば、上記の態様に記載のモバイル端末に適用されるアンテナ制御方法が提供され、前記方法は、
前記フレキシブルディスプレイが前記収納状態にあるとき、前記メインアンテナが作動状態にあり、且つ前記ミリ波アンテナモジュールが非作動状態にあるように制御するステップと、
前記フレキシブルディスプレイが前記展開状態にあるとき、前記メインアンテナが非作動状態にあり、且つ前記ミリ波アンテナモジュールが作動状態にあるように制御するステップと、を含む。
【００２７】
一選択可能な実施例では、前記方法は、
フォアグラウンドアプリケーションプログラムのタイプに基づき、前記フレキシブルディスプレイが前記収納状態又は前記展開状態にあるように制御するステップをさらに含む。
【００２８】
一選択可能な実施例では、前記本体は、状態検出ユニットが設けられており、前記方法は、前記状態検出ユニットにより前記フレキシブルディスプレイが前記収納状態又は前記展開状態にあることを検出するステップをさらに含む。
【００２９】
本発明の他の態様によれば、上記の態様に記載のモバイル端末に適用されるアンテナ制御方法が提供され、
一選択可能な実施例では、前記方法は、
前記アンテナスイッチが第１のスイッチ状態にあるとき、前記ミリ波アンテナモジュールは非作動状態にあるステップと、
前記アンテナスイッチが第２のスイッチ状態にあるとき、前記ミリ波アンテナモジュールは作動状態にあるステップと、を含む。
【００３０】
本発明の他の態様によれば、プロセッサーにより実行されるときに上記の態様に記載のアンテナ制御方法を実現するためのコンピュータプログラムが格納されたコンピュータ読み取り可能な記録媒体が提供される。
【発明の効果】
【００３１】
本発明に提供された技術的案によれば、以下のような技術効果が奏される。
フレキシブルスクリーンの拡張可能面積を利用してミリ波アンテナモジュールを配置することで、本体スペースを占有することなくミリ波アンテナモジュールのために良好な作動環境を提供し、ミリ波アンテナをモバイル端末に良好に適用できる。
【図面の簡単な説明】
【００３２】
ここの図面は、明細書に組み入れて本明細書の一部分を構成し、本発明に該当する実施例を例示するとともに、明細書とともに本発明の原理を解釈する。
【図１】本発明の一例示的な実施例に提供されるモバイル端末の構造模式図である。
【図２】本発明の他の例示的な実施例に提供されるモバイル端末のフレキシブルディスプレイが展開状態にあるときの構造模式図である。
【図３】本発明の他の例示的な実施例に提供されるモバイル端末のフレキシブルディスプレイが収納状態にあるときの構造模式図である。
【図４】本発明の他の例示的な実施例に提供されるモバイル端末の構造模式図である。
【図５】本発明の他の例示的な実施例に提供される巻き取り収納構造を採用したフレキシブルディスプレイの模式図である。
【図６】本発明の他の例示的な実施例に提供される折り畳み収納構造を採用したフレキシブルディスプレイの模式図である。
【図７】本発明の他の例示的な実施例に提供されるモバイル端末の構造模式図である。
【図８】本発明の他の例示的な実施例に提供されるモバイル端末のフレキシブルディスプレイが展開状態にあるときの模式図である。
【図９】本発明の他の例示的な実施例に提供されるモバイル端末のフレキシブルディスプレイが収納状態にあるときの模式図である。
【図１０】本発明の他の例示的な実施例に提供されるモバイル端末のアンテナスイッチが第１の状態にあるときの構造模式図である。
【図１１】本発明の他の例示的な実施例に提供されるモバイル端末のアンテナスイッチが第２の状態にあるときの構造模式図である。
【図１２】本発明の他の例示的な実施例に提供されるモバイル端末のフレキシブルディスプレイが展開状態にあるときの構造模式図である。
【図１３】本発明の他の例示的な実施例に提供されるモバイル端末の構造模式図である。
【図１４】本発明の他の例示的な実施例に提供されるモバイル端末のフレキシブルディスプレイが展開状態にあるときの模式図である。
【図１５】本発明の一例示的な実施例に提供されるアンテナ制御方法のフローチャートである。
【図１６】本発明の他の例示的な実施例に提供されるアンテナ制御方法のフローチャートである。
【図１７】本発明の他の例示的な実施例に提供されるアンテナ制御方法のフローチャートである。
【図１８】本発明の他の例示的な実施例に提供されるアンテナ制御方法のフローチャートである。
【図１９】本発明の他の例示的な実施例に提供されるアンテナ制御方法のフローチャートである。
【図２０】本発明の他の例示的な実施例に提供されるアンテナ制御方法のフローチャートである。
【図２１】本発明の他の例示的な実施例に提供されるアンテナ制御方法のフローチャートである。
【発明を実施するための形態】
【００３３】
以下、例示的な実施例を詳しく説明し、その例示を図面に示す。以下の記載が図面に関わる場合、特に他の説明がない限り、異なる図面における同一符号は、同じ又は類似する要素を示す。以下の例示的な実施形態に記載の実施例は、本発明と一致する全ての実施例を代表するものではない。即ち、それらは、特許請求の範囲に記載の本発明のある側面に一致する装置及び方法の例に過ぎない。
【００３４】
図１は、本発明の一例示的な実施例に提供されるモバイル端末１００の構造模式図を示す。このモバイル端末１００は、本体１０１と、本体１０１に設けられたフレキシブルディスプレイ１０２とを含み、
フレキシブルディスプレイ１０２は、展開状態と収納状態との間で切り替えるように構成され、展開状態は、フレキシブルディスプレイ１０２を第１の面積に展開した状態であり、収納状態は、フレキシブルディスプレイ１０２を第２の面積に縮小した状態であり、第１の面積は第２の面積よりも大きく、
フレキシブルディスプレイ１０２のエッジには、ミリ波アンテナモジュール１１７が設けられている。
【００３５】
上述を纏めると、本実施例に提供されるモバイル端末は、フレキシブルスクリーンの拡張可能面積を利用してミリ波アンテナモジュールを配置することで、本体スペースを占有することなくミリ波アンテナモジュールのために良好な作動環境を提供し、ミリ波アンテナモジュールをモバイル端末に良好に適用できる。
【００３６】
図２は、本発明の他の例示的な実施例に提供されるモバイル端末の構造図である。このモバイル端末は、本体１０１、フレキシブルディスプレイ１０２及びフレキシブルディスプレイ収納ユニット１１１を含む。
【００３７】
例示的に、フレキシブルディスプレイ１０２は矩形である。フレキシブルディスプレイ１０２は、第１の矩形エッジ１１２、第２の矩形エッジ１１３、第３の矩形エッジ１１４及び第４の矩形エッジ１１５の４つの接続された矩形辺を含む。
【００３８】
例示的に、矩形は矩形又は角丸矩形であってもよい。
【００３９】
フレキシブルディスプレイ１０２の第１の矩形エッジ１１２は、本体１０１に固定されている。
【００４０】
フレキシブルディスプレイ１０２の第２の矩形エッジ１１３、第３の矩形エッジ１１４及び第４の矩形エッジ１１５のうちの少なくとも１つの矩形エッジには、ミリ波アンテナモジュール１１７が設けられている。
【００４１】
例示的に、ミリ波アンテナモジュール１１７は、離散的に設けられた少なくとも２つのグループである。
【００４２】
例示的に、各グループのミリ波アンテナモジュール１１７は、少なくとも２つのミリ波アンテナからなるアンテナアレイを含む。
【００４３】
図２では、第１のミリ波アンテナモジュール１０７、第２のミリ波アンテナモジュール１０８、第３のミリ波アンテナモジュール１０９、第４のミリ波アンテナモジュール１１０を含む４つのミリ波アンテナモジュール１１７が設けられている。
【００４４】
一例では、フレキシブルディスプレイ１０２の第３の矩形エッジ１１４は、フレキシブルディスプレイ収納ユニット１１１に固定されている。フレキシブルディスプレイ１０２は、第３の矩形エッジ１１４の方向に沿って展開又は収納されることができる。図２は、フレキシブルディスプレイが展開状態にあるときの形態を示し、図３は、フレキシブルディスプレイが収納状態にあるときの形態を示す。
【００４５】
図４は、本発明の他の例示的な実施例に係るモバイル端末の構造図である。図２に示す例示的な実施例との違いは、フレキシブルディスプレイ１０２の第２の矩形エッジ１１３の中央部分及び第４の矩形エッジ１１５の中央部分がそれぞれ本体１０１に固定されていることにある。第１の矩形エッジ１１２及び第３の矩形エッジ１１４は、互いに対向又は互いに逆向きに移動することができる。
【００４６】
フレキシブルディスプレイ１０２の第１の矩形エッジ１１２、第２の矩形エッジ１１３、第３の矩形エッジ１１４及び第４の矩形エッジ１１５のうちの少なくとも１つの矩形エッジには、ミリ波アンテナモジュール１１７が設けられている。
【００４７】
一例では、第１のミリ波アンテナモジュール３０３、第２のミリ波アンテナモジュール３０４、第３のミリ波アンテナモジュール３０５、第４のミリ波アンテナモジュール３０６を含む４つのミリ波アンテナモジュール１１７が設けられている。
【００４８】
相応的に、フレキシブルディスプレイ収納ユニットは２つあり、それぞれ第１のフレキシブルディスプレイ収納ユニット３０１、第２のフレキシブルディスプレイ収納ユニット３０２である。フレキシブルディスプレイ１０２の第１の矩形エッジ１１２は、第１のフレキシブルディスプレイ収納ユニット３０１に固定され、フレキシブルディスプレイ１０２の第３の矩形エッジ１１４は、第２のフレキシブルディスプレイ収納ユニット３０２に固定されている。フレキシブルディスプレイ１０２は、第１の矩形エッジ１１２及び第３の矩形エッジ１１４の方向（即ち、図面の左右方向）に沿って同時に（又は別々に）展開又は収納されることができる。
【００４９】
本発明の実施例では、フレキシブルディスプレイの収納方式に対して限定しない。一例示的な例では、フレキシブルディスプレイの収納及び展開方式は、巻き取り収納方式及び折り畳み収納方式の少なくとも２つの方式を含む。以下では、図２に示す例示的な実施例に提供されるモバイル端末を例として、２つの収納方式についてそれぞれ説明する。
【００５０】
巻き取り収納方式：フレキシブルディスプレイ収納ユニット１１１内（及び／又は本体１０１）には、リール４０１が設けられており、その構造は図５に示す通りである。例示的に、リール４０１は、フレキシブルディスプレイ収納ユニット１１１の上下辺に固定された固定軸４０２と、固定軸４０２を中心として回転可能な外側回転軸４０３とから構成される。フレキシブルディスプレイ１０２の第３の矩形エッジ１１４は、外側回転軸４０３に固定されており、外側回転軸４０３が回転してフレキシブルディスプレイ１０２を巻き取って外側回転軸４０３の表面に覆わせる。ユーザは、フレキシブルディスプレイ収納ユニット１１１を内側に押す又は外側に引っ張ることができる。内側に押すとき、外側回転軸３０３を制御して逆方向に回転させ、フレキシブルディスプレイ１０２が収納状態になり、外側に引っ張るとき、外側回転軸４０３を制御して正方向に回転させ、フレキシブルディスプレイ１０２が展開される。
【００５１】
折り畳み収納方式：図６に示すように、フレキシブルディスプレイ１０２の第３の矩形エッジ１１４は、フレキシブルディスプレイ収納ユニット１１１に固定されており、本体１０１の側辺には、フレキシブルディスプレイ収納溝５０１が設けられ、折り線５０２を利用してフレキシブルディスプレイ１０２を幾つかの領域に等分し、折り線５０２に沿ってフレキシブルディスプレイ１０２を順次折り畳んだ後、フレキシブルディスプレイ１０２をフレキシブルディスプレイ収納溝５０１内に入れて、フレキシブルディスプレイ１０２の収納を完了することができる。フレキシブルディスプレイ収納ユニット１１１を引いて、フレキシブルディスプレイ１０２をフレキシブルディスプレイ収納溝５０１から取り出し、フレキシブルディスプレイ１０２の展開を完了する。
【００５２】
上記の各実施例において、通常、本体１０１の内部に位置する制御モジュールがさらに含まれ、この制御モジュールは、ＣＰＵ又はマイクロプロセッサーであってもよい。この制御モジュールは、ミリ波アンテナモジュール１１７に電気的に接続される。
【００５３】
上記の各実施例に基づき、ミリ波アンテナモジュール１１７に対する上記の制御は、以下の３つの形式のうちの少なくとも1つを採用して実現することができる。
第１、ソフトウェア制御方式。
第２、ソフトウェア及びハードウェアを組み合わせた制御方式。
第３、ハードウェアスイッチの制御方式。
上記の３つの方式は、３つの異なる実施例を採用して以下に別々に説明する。
【００５４】
図７は、本発明の他の例示的な実施例に係るモバイル端末の構造図である。図２に示す例示的な実施例に加え、本体１０１内には、制御モジュール６０１が増設され、フレキシブルディスプレイ収納ユニット１１１には、駆動モジュール６０２が増設されている。制御モジュール６０１は、駆動モジュール６０２、ミリ波アンテナモジュール１１７にそれぞれ接続される。駆動モジュール６０２は、電気駆動形式の電気機械部品である。
【００５５】
一例では、制御モジュール６０１は、以下の３つの機能のうちの少なくとも１つを含む。１．フォアグラウンドアプリケーションプログラムのカテゴリを識別する。２．駆動モジュール６０２の作動及び停止を制御する。３．フレキシブルディスプレイ１０２が収納状態にあるとき、ミリ波アンテナモジュール１１７が非作動状態にあるように制御し、フレキシブルディスプレイ１０２が展開状態にあるとき、ミリ波アンテナモジュール１１７が作動状態にあるように制御する。
【００５６】
駆動モジュール６０２は、フレキシブルディスプレイ収納ユニット１１１を駆動して正方向に回転させてフレキシブルディスプレイ１０２を展開し、又は逆方向に回転させてフレキシブルディスプレイ１０２を収納することができる。
【００５７】
一例では、制御モジュール６０１によりフォアグラウンドアプリケーションプログラムのカテゴリがゲーム、ビデオ、リーディング又は他の予め設定されたプログラムカテゴリであることを識別した場合、制御モジュール６０１は、駆動モジュール６０２に第１の命令を送信し、この第１の命令は、駆動モジュール６０２がフレキシブルディスプレイ収納ユニット１１１を駆動して正方向に回転させてフレキシブルディスプレイ１０２を展開し、フレキシブルディスプレイ１０２が展開状態にあるように制御するために使用される。制御モジュール６０１は、ミリ波アンテナモジュール１１７に第２の命令を送信し、第２の命令は、ミリ波アンテナモジュール１１７が作動状態にあるように制御するために使用される。
【００５８】
一例では、制御モジュール６０１によりフォアグラウンドアプリケーションプログラムカテゴリがゲーム、ビデオ、リーディング又は他の予め設定されたプログラムカテゴリであることを識別した場合、制御モジュール６０１は、駆動モジュール６０２に第３の命令を送信し、第３の命令は、駆動モジュール６０２がフレキシブルディスプレイ収納ユニット１１１を駆動して逆方向に回転させてフレキシブルディスプレイ１０２を収納し、フレキシブルディスプレイ１０２が収納状態にあるように制御するために使用される。制御モジュール６０１は、ミリ波アンテナモジュール１１７に第４の命令を送信し、第４の命令は、ミリ波アンテナモジュール１１７が非作動状態にあるように制御するために使用される。
【００５９】
上述を纏めると、本実施例に提供されるモバイル端末は、フォアグラウンドアプリケーションプログラムを識別する方式によって、フレキシブルディスプレイ１０２の状態をインテリジェントに制御するとともに、ミリ波アンテナモジュール１１７の作動状態を制御することができる。特定のフォアグラウンドプログラムを使用する場合、モバイル端末は、フレキシブルディスプレイ１０２を自動的に展開又は収納して、ユーザのために良好な使用体験を提供することができ、それとともに、ミリ波アンテナモジュール１１７の作動状態を自動的に切り替えて、アンテナ性能を向上し、モバイル端末をより便利に使用することができる。
【００６０】
図８は、本発明の他の例示的な実施例に係るモバイル端末の構造図である。図２に示す例示的な実施例に加え、制御モジュール６０１及び状態検出ユニット７０３が増設されている。状態検出ユニット７０３は、ホールセンサ７０１及び磁石７０２を含む。
【００６１】
例示的に、本体１０１内には、制御モジュール６０１及びホールセンサ７０１が設けられ、フレキシブルディスプレイ収納ユニット１１１には、磁石７０２が増設されている。制御モジュール６０１は、ホールセンサ７０１、ミリ波アンテナモジュール１１７にそれぞれ接続される。
【００６２】
制御モジュール６０１は、２つの機能を有する。１．ホールセンサ７０１により出力された信号を識別する。２．フレキシブルディスプレイ１０２が収納状態にあるとき、ミリ波アンテナモジュール１１７が非作動状態にあるように制御し、フレキシブルディスプレイ１０２が展開状態にあるとき、ミリ波アンテナモジュール１１７が作動状態にあるように制御する。
【００６３】
状態検出ユニット７０３は、フレキシブルディスプレイ１０２の状態を検出することができる。具体的な方法は、下記の通りである。図９に示すように、フレキシブルディスプレイ１０２が収納状態にあるとき、磁石７０２がホールセンサ７０１に近接し、ホールセンサ７０１の周囲磁場が増強され、このとき、ホールセンサ７０１が第１の信号を出力し、図８に示すように、フレキシブルディスプレイ１０２が展開状態にあるとき、磁石７０２がホールセンサ７０１から離れ、ホールセンサ７０１の周囲磁場が減弱され、このとき、ホールセンサ７０１が第２の信号を出力する。
【００６４】
制御モジュール６０１によりホールセンサ７０１が第１の信号を出力し、フレキシブルディスプレイ１０２が収納状態にあることを識別した場合、制御モジュール６０１は、ミリ波アンテナモジュール１１７に第４の命令を送信して、ミリ波アンテナモジュール１１７が非作動状態にあるように制御する。
【００６５】
制御モジュール６０１によりホールセンサ７０１が第２の信号を出力し、フレキシブルディスプレイ１０２が展開状態にあることを識別した場合、制御モジュール６０１は、ミリ波アンテナモジュール１１７に第２の命令を送信して、ミリ波アンテナモジュール１１７が作動状態にあるように制御する。
【００６６】
上述を纏めると、本実施例に提供されるモバイル端末は、フレキシブルディスプレイの状態を識別することで、ミリ波アンテナモジュール１１７の作動状態を自動的に制御することができる。フレキシブルディスプレイが展開又は収納されるとともに、ミリ波アンテナモジュール１１７をより適切な作動状態に自動的に切り替えることで、モバイル端末のアンテナ性能を向上し、ユーザは良好な使用体験を得ることができる。
【００６７】
図１０は、本発明の他の例示的な実施例に係るモバイル端末の構造図である。図２に示す例示的な実施例に加え、本体には、アンテナスイッチ９０１が増設されている。アンテナスイッチ９０１は、ミリ波アンテナモジュール１１７に接続される。
【００６８】
アンテナスイッチ９０１は、ミリ波アンテナモジュール１１７の２つの作動状態の切り替えを制御することができる。
【００６９】
図１０に示すように、アンテナスイッチ９０１が第１の状態９０２にあるとき、ミリ波アンテナモジュール１１７が非作動状態にあるように制御する。
【００７０】
図１１に示すように、アンテナスイッチ９０１が第２の状態１００１にあるとき、ミリ波アンテナモジュール１１７が作動状態にあるように制御する。
【００７１】
上述を纏めると、本実施例に提供されるモバイル端末は、アンテナスイッチ９０１の状態を手動で変更することによって、ミリ波アンテナモジュール１１７の作動状態を変更することができる。モバイル端末が複雑な使用環境で作動する場合、ユーザは、アンテナスイッチを使用してミリ波アンテナモジュール１１７の作動状態を自律的に制御して、モバイル端末を複雑な使用環境に適応可能にさせることができ、モバイル端末のアンテナ性能を向上し、ユーザの使用体験感を向上させることができる。
【００７２】
上記は、モバイル端末がミリ波アンテナモジュール１１７を別個に制御する３つの方式であり、例示的に、モバイル端末の本体１０１には、メインアンテナがさらに設けられてもよい。モバイル端末は、メインアンテナ及びミリ波アンテナモジュール１１７を同時に制御して協力して又は個別に作動させることができる。以下では、まず、メインアンテナが設けられたモバイル端末について説明し、メインアンテナ及びミリ波アンテナモジュール１１７を同時に制御する２つの方式について、２つの異なる実施例を採用して別々に説明する。
【００７３】
図１２は、本発明の他の例示的な実施例に提供されるモバイル端末の構造図である。図２に示す例示的な実施例に加え、本体１０１内には、メインアンテナ１１６が増設されており、メインアンテナ１１６は、メインセットアンテナ１０５、又は、メインセットアンテナ１０５及びダイバーシティアンテナ１０６を含む。図１２では、メインアンテナ１１６がメインセットアンテナ１０５及びダイバーシティアンテナ１０６を同時に含む場合を例として説明する。
【００７４】
例示的に、本体１０１内には、ＧＰＳ受信アンテナ１０３、ＷＩＦＩアンテナ１０４のうちの少なくとも１つがさらに設けられてもよい。上記の実施例では、通常、本体１０１の内部に位置する制御モジュールがさらに含まれ、この制御モジュールは、ＣＰＵ又はマイクロプロセッサーであってもよい。この制御モジュールは、各アンテナに電気的に接続される。
【００７５】
上記の実施例に基づき、上記のメインアンテナ１１６とミリ波アンテナモジュール１１７との間の作動状態の切り替えは、以下の２つの形式のうちの少なくとも１つを採用して実現することができる。
第１、ソフトウェア制御方式。
第２、ソフトウェア及びハードウェアを組み合わせた制御方式。
上記の２つの方式は、２つの異なる実施例を採用して以下に別々に説明する。
【００７６】
図１３は、本発明の他の例示的な実施例に係るモバイル端末の構造図である。図１２に示す例示的な実施例に加え、本体１０１内には、制御モジュール６０１が増設され、フレキシブルディスプレイ収納ユニット１１１には、駆動モジュール６０２が増設されている。制御モジュール６０１は、駆動モジュール６０２、メインアンテナ１１６及びミリ波アンテナモジュール１１７にそれぞれ接続される。駆動モジュール６０２は、電気駆動形式の電気機械部品である。
【００７７】
一例では、制御モジュール６０１は、以下の３つの機能のうちの少なくとも１つを含む。１．フォアグラウンドアプリケーションプログラムのカテゴリを識別する。２．駆動モジュール６０２の作動及び停止を制御する。３．フレキシブルディスプレイ１０２が収納状態にあるとき、メインアンテナ１１６が作動状態にあり、且つミリ波アンテナモジュール１１７が非作動状態にあるように制御し、フレキシブルディスプレイ１０２が展開状態にあるとき、メインアンテナ１１６が非作動状態にあり、且つミリ波アンテナモジュール１１７が作動状態にあるように制御する。
【００７８】
駆動モジュール６０２は、フレキシブルディスプレイ収納ユニット１１１を駆動して正方向に回転させてフレキシブルディスプレイ１０２を展開し、又は逆方向に回転させてフレキシブルディスプレイ１０２を収納することができる。
【００７９】
一例では、制御モジュール６０１によりフォアグラウンドアプリケーションプログラムのカテゴリがゲーム、ビデオ、リーディング又は他の予め設定されたプログラムカテゴリであることを識別した場合、制御モジュール６０１は、駆動モジュール６０２に第１の命令を送信し、この第１の命令は、駆動モジュール６０２がフレキシブルディスプレイ収納ユニット１１１を駆動して正方向に回転させてフレキシブルディスプレイ１０２を展開し、フレキシブルディスプレイ１０２が展開状態にあるように制御するために使用される。制御モジュール６０１は、メインアンテナ１１６とミリ波アンテナモジュール１１７に第５の命令を送信し、第５の命令は、メインアンテナ１１６とミリ波アンテナモジュール１１７を制御して、メインアンテナ１１６が非作動状態にあり、且つミリ波アンテナモジュール１１７が作動状態にあるように作動状態を切り替えさせるために使用される。
【００８０】
一例では、制御モジュール６０１によりフォアグラウンドアプリケーションプログラムカテゴリがゲーム、ビデオ、リーディング又は他の予め設定されたプログラムカテゴリであることを識別した場合、制御モジュール６０１は、駆動モジュール６０２に第３の命令を送信し、第３の命令は、駆動モジュール６０２がフレキシブルディスプレイ収納ユニット１１１を駆動して逆方向に回転させてフレキシブルディスプレイ１０２を収納し、フレキシブルディスプレイ１０２が収納状態にあるように制御するために使用される。制御モジュール６０１は、メインアンテナ１１６とミリ波アンテナモジュール１１７に第６の命令を送信し、第６の命令は、メインアンテナ１１６とミリ波アンテナモジュール１１７を制御して、メインアンテナ１１６が作動状態にあり、且つミリ波アンテナモジュール１１７が非作動状態にあるように作動状態を切り替えさせるために使用される。
【００８１】
上述を纏めると、本実施例に提供されるモバイル端末は、フォアグラウンドアプリケーションプログラムを識別する方式によって、フレキシブルディスプレイ１０２の状態をインテリジェントに制御するとともに、メインアンテナ１１６及びミリ波アンテナモジュール１１７の作動状態を制御することができる。特定のフォアグラウンドプログラムを使用する場合、モバイル端末は、フレキシブルディスプレイ１０２を自動的に展開又は収納して、ユーザのために良好な使用体験を提供することができ、それとともに、メインアンテナ１１６及びミリ波アンテナモジュール１１７の作動状態を自動的に切り替えて、モバイル端末がある予め設定されたプログラムを使用するときに、アンテナをミリ波アンテナモジュール１１７に自動的に切り替えて作動させ、モバイル端末のアンテナ性能及びユーザの体験を向上させることができる。
【００８２】
図１４は、本発明の他の例示的な実施例に係るモバイル端末の構造図である。図１２に示す例示的な実施例に加え、制御モジュール６０１及び状態検出ユニット７０３が増設されている。状態検出ユニット７０３は、ホールセンサ７０１及び磁石７０２を含む。
【００８３】
例示的に、本体１０１内には、制御モジュール６０１及びホールセンサ７０１が設けられ、フレキシブルディスプレイ収納ユニット１１１上には、磁石７０２が増設されている。制御モジュール６０１は、ホールセンサ７０１、メインアンテナ１１６及びミリ波アンテナモジュール１１７にそれぞれ接続される。
【００８４】
制御モジュール６０１は、２つの機能を有する。１．ホールセンサ７０１により出力された信号を識別する。２．フレキシブルディスプレイ１０２が収納状態にあるとき、メインアンテナ１１６が作動状態にあり、且つミリ波アンテナモジュール１１７が非作動状態にあるように制御し、フレキシブルディスプレイ１０２が展開状態にあるとき、メインアンテナ１１６が非作動状態にあり、且つミリ波アンテナモジュール１１７が作動状態にあるように制御する。
【００８５】
状態検出ユニット７０３は、フレキシブルディスプレイ１０２の状態を検出することができる。具体的な方法は、下記の通りである。図９に示すように、フレキシブルディスプレイ１０２が収納状態にあるとき、磁石７０２がホールセンサ７０１に近接し、ホールセンサ７０１の周囲磁場が増強され、このとき、ホールセンサ７０１が第１の信号を出力し、図８に示すように、フレキシブルディスプレイ１０２が展開状態にあるとき、磁石７０２がホールセンサ７０１から離れ、ホールセンサ７０１の周囲磁場が減弱され、このとき、ホールセンサ７０１が第２の信号を出力する。
【００８６】
制御モジュール６０１によりホールセンサ７０１が第１の信号を出力し、フレキシブルディスプレイ１０２が収納状態にあることを識別した場合、制御モジュール６０１は、メインアンテナ１１６とミリ波アンテナモジュール１１７に第６の命令を送信し、メインアンテナ１１６とミリ波アンテナモジュール１１７を制御して、メインアンテナ１１６が作動状態にあり、且つミリ波アンテナモジュール１１７が非作動状態にあるように作動状態を切り替えさせる。
【００８７】
制御モジュール６０１によりホールセンサ７０１が第２の信号を出力し、フレキシブルディスプレイ１０２が展開状態にあることを識別した場合、制御モジュール６０１は、メインアンテナ１１６とミリ波アンテナモジュール１１７に第５の命令を送信し、メインアンテナ１１６とミリ波アンテナモジュール１１７を制御して、メインアンテナ１１６が非作動状態にあり、且つミリ波アンテナモジュール１１７が作動状態にあるように作動状態を切り替えさせる。
【００８８】
上述を纏めると、本実施例に提供されるモバイル端末は、フレキシブルディスプレイの状態を識別することで、メインアンテナ１１６及びミリ波アンテナモジュール１１７の作動状態を自動的に制御することができる。フレキシブルディスプレイが展開又は収納されるとともに、アンテナをより適切な作動状態に自動的に切り替えることで、ユーザは良好な使用体験を得ることができる。モバイル端末のアンテナ性能を向上させることができる。
【００８９】
図１５は、本発明の一例示的な実施例に係るアンテナ制御方法のフローチャートである。本実施例では、この方法が図７に示すモバイル端末に適用される場合を例として説明する。この方法は、下記のステップを含んでもよい。
【００９０】
ステップ１５０１において、フレキシブルディスプレイ１０２の状態を決定し、
フレキシブルディスプレイ１０２の状態が収納状態であれば、ステップ１５０２を実行し、フレキシブルディスプレイ１０２の状態が展開状態であれば、ステップ１５０３を実行する。
【００９１】
ステップ１５０２において、フレキシブルディスプレイ１０２が収納状態にあるとき、ミリ波アンテナモジュール１１７が非作動状態にあるように制御し、
ステップ１５０３において、フレキシブルディスプレイ１０２が展開状態にあるとき、ミリ波アンテナモジュール１１７が作動状態にあるように制御する。
【００９２】
上述を纏めると、本実施例に提供されるアンテナ制御方法は、フレキシブルディスプレイ１０２の異なる状態に応じて、ミリ波アンテナモジュール１１７の作動状態を自動的に切り替える方法を提供する。このような制御方法によれば、フレキシブルディスプレイが展開又は収納されるとともに、アンテナをより適切な作動状態に自動的に切り替えることができ、ユーザは良好な使用体験を得ることができる。モバイル端末のアンテナ性能を向上させることができる。
【００９３】
以上のアンテナ制御方法の実施例では、フレキシブルディスプレイ１０２の状態を決定する方法は、様々あってもよく、例示的に、フレキシブルディスプレイ１０２の状態を決定する方法は、ソフトウェア命令を識別することでフレキシブルディスプレイ１０２の状態を識別することであってもよいし、ハードウェアを設ける方式によってフレキシブルディスプレイ１０２の状態を識別することであってもよい。
【００９４】
一例では、フレキシブルディスプレイ１０２の状態を感知するソフトウェア方式は、制御モジュール６０１の制御命令を識別することでフレキシブルディスプレイ１０２の状態を識別することであってもよい。
【００９５】
一例では、フレキシブルディスプレイ１０２の状態を感知するハードウェア方式は、モバイル端末上に設けられた状態検出ユニット７０３、センサ、感知機能を有する機械部品のうちの１つ又は複数によりフレキシブルディスプレイ１０２の状態を識別することであってもよい。
【００９６】
以下の２つの方法は、２つの異なる実施例を採用して以下に別々に説明する。
第１、ソフトウェア方式を使用してアンテナを制御する方法。
第２、ソフトウェア及びハードウェアを組み合わせた方式を使用してアンテナを制御する方法。
【００９７】
図１６は、本発明の一例示的な実施例に係るアンテナ制御方法のフローチャートであり、本実施例では、この方法が図７に示すモバイル端末に適用される場合を例として説明する。この方法は、下記のステップを含んでもよい。
ステップ１６０１において、フォアグラウンドアプリケーションプログラムのタイプに基づき、フレキシブルディスプレイ１０２が収納状態又は展開状態にあるように制御し、制御モジュール６０１は、フォアグラウンドアプリケーションプログラムカテゴリがゲーム、ビデオ、リーディング又は他の予め設定されたプログラムカテゴリであるか否かを識別する。
【００９８】
そうであれば、ステップ１６０２を実行し、そうでなければ、ステップ１６０３を実行する。
【００９９】
ステップ１６０２において、フレキシブルディスプレイ１０２が展開状態にあるとき、ミリ波アンテナモジュール１１７が作動状態にあるように制御し、
一例では、制御モジュール６０１は、駆動モジュール６０２に第１の命令を送信してフレキシブルディスプレイ１０２を展開し、ミリ波アンテナモジュール１１７に第２の命令を送信して、ミリ波アンテナモジュール１１７が作動状態にあるように制御する。
【０１００】
ステップ１６０３において、フレキシブルディスプレイ１０２が収納状態にあるとき、ミリ波アンテナモジュール１１７が非作動状態にあるように制御する。
【０１０１】
一例では、制御モジュール６０１は、駆動モジュール６０２に第３の命令を送信し、第３の命令は、フレキシブルディスプレイ１０２を収納することを指示するために使用される。また、制御モジュール６０１は、また、ミリ波アンテナモジュール１１７に第４の命令を送信し、第４の命令は、ミリ波アンテナモジュール１１７が非作動状態にあるように制御するために使用される。
【０１０２】
上述を纏めると、本実施例に提供されるアンテナ制御方法は、フォアグラウンドアプリケーションプログラムを識別する方式によって、フレキシブルディスプレイ１０２の状態をインテリジェントに制御するとともに、ミリ波アンテナモジュール１１７の作動状態を制御する方法を提供する。フォアグラウンドプログラムと組み合わせてアンテナの作動を制御し、特定のフォアグラウンドプログラムを使用する場合、モバイル端末は、フレキシブルディスプレイ１０２を自動的に展開又は収納し、ユーザのために良好な使用体験を提供し、それとともに、ミリ波アンテナモジュール１１７の作動状態を自動的に切り替えて、モバイル端末のアンテナ性能を向上させることができる。
【０１０３】
図１７は、本発明の一例示的な実施例に係るアンテナ制御方法のフローチャートである。本実施例では、この方法が図８に示すモバイル端末に適用される場合を例として説明し、この方法は、下記のステップを含んでもよい。
【０１０４】
ステップ１７０１において、状態検出ユニット７０３によりフレキシブルディスプレイ１０２が収納状態又は展開状態にあることを検出し、
一例では、制御モジュール６０１は、状態検出ユニット７０３により検出されたフレキシブルディスプレイ１０２の状態を識別する。
【０１０５】
フレキシブルディスプレイ１０２が収納状態であれば、ステップ１７０２を実行し、フレキシブルディスプレイ１０２が展開状態であれば、ステップ１７０３を実行する。
【０１０６】
ステップ１７０２において、フレキシブルディスプレイ１０２が収納状態にあるとき、ミリ波アンテナモジュール１１７が非作動状態にあるように制御し、
一例では、制御モジュール６０１は、ミリ波アンテナモジュール１１７に第４の命令を送信して、ミリ波アンテナモジュール１１７が非作動状態にあるように制御する。
【０１０７】
ステップ１７０３において、フレキシブルディスプレイ１０２が展開状態にあるとき、ミリ波アンテナモジュール１１７が作動状態にあるように制御する。
【０１０８】
一例では、制御モジュール６０１は、ミリ波アンテナモジュール１１７に第２の命令を送信して、ミリ波アンテナモジュール１１７が作動状態にあるように制御する。
【０１０９】
上述を纏めると、本実施例に提供されるアンテナ制御方法は、状態検出ユニット７０３によりフレキシブルディスプレイ１０２が収納又は展開状態にあることを識別して、ミリ波アンテナモジュール１１７の作動状態を制御する方法を提供する。状態検出ユニット７０３により検出されたフレキシブルディスプレイ１０２の状態を利用して、制御モジュール６０１にフレキシブルディスプレイ１０２の状態をリアルタイムで伝達することができ、フレキシブルディスプレイ１０２の状態に対するモバイル端末の感度を向上し、さらにミリ波アンテナモジュール１１７に対する制御精度を向上し、モバイル端末のアンテナ性能を向上させることができる。
【０１１０】
以上のアンテナ制御方法の実施例は、フレキシブルディスプレイ１０２の状態が変化される場合に対して、ミリ波アンテナモジュール１１７の作動状態を自動的に調整して、ミリ波アンテナモジュール１１７を適切な作動環境で作動させ、モバイル端末のアンテナ性能を向上させることができる。手動制御の方法は、１つの実施例を採用して以下に説明する。
【０１１１】
図１８は、本発明の一例示的な実施例に係るアンテナ制御方法のフローチャートであり、本実施例では、この方法が図１０に示すモバイル端末に適用される場合を例として説明し、この方法は、下記のステップを含む。
【０１１２】
ステップ１８０１において、アンテナスイッチ９０１の状態を決定する。
【０１１３】
アンテナスイッチ９０１が第１の状態９０２であるとき、ステップ１８０２を実行すし、アンテナスイッチ９０１が第２の状態１００１であるとき、ステップ１８０３を実行する。
【０１１４】
ステップ１８０２において、アンテナスイッチ９０１が第１のスイッチ状態にあるとき、ミリ波アンテナモジュール１１７は非作動状態にある。
【０１１５】
ステップ１８０３において、アンテナスイッチ９０１が第２のスイッチ状態にあるとき、ミリ波アンテナモジュール１１７は作動状態にある。
【０１１６】
上述を纏めると、本実施例に提供されるアンテナ制御方法は、アンテナスイッチ９０１を制御することでミリ波アンテナモジュール１１７の作動状態を切り替える方法を提供する。モバイル端末が複雑な使用環境で作動する場合、ユーザは、アンテナスイッチを使用してミリ波アンテナモジュール１１７の作動状態を自律的に制御して、モバイル端末を複雑な使用環境に適応させることができ、モバイル端末のアンテナ性能を向上し、ユーザの使用体験感を向上できる。
【０１１７】
上記の各実施例のモバイル端末に基づき、本発明は、メインアンテナ１１６及びミリ波アンテナモジュール１１７の作動状態を切り替える制御方法をさらに提供し、このアンテナ制御方法は、少なくとも３つの方法を含む。したがって、以下の３つの作動方法は、３つの異なる実施例を採用して以下に別々に説明する。
第１、一般的なアンテナ制御方法。
第２、ソフトウェアのアンテナ制御方法。
第３、ソフトウェア及びハードウェアを組み合わせた制御方法。
【０１１８】
図１９は、本発明の一例示的な実施例に係るアンテナ制御方法のフローチャートである。本実施例では、この方法が図１３に示すモバイル端末に適用される場合を例として説明する。この方法は、下記のステップを含んでもよい。
【０１１９】
ステップ１９０１において、フレキシブルディスプレイ１０２の状態を決定し、
フレキシブルディスプレイ１０２の状態が収納状態であれば、ステップ１９０２を実行し、フレキシブルディスプレイ１０２の状態が展開状態であれば、ステップ１９０３を実行する。
【０１２０】
ステップ１９０２において、フレキシブルディスプレイ１０２が収納状態にあるとき、メインアンテナ１１６が作動状態にあり、且つミリ波アンテナモジュール１１７が非作動状態にあるように制御し、
ステップ１９０３において、フレキシブルディスプレイ１０２が展開状態にあるとき、メインアンテナ１１６が非作動状態にあり、且つミリ波アンテナモジュール１１７が作動状態にあるように制御する。
上述を纏めると、本実施例に提供されるアンテナ制御方法は、フレキシブルディスプレイ１０２の異なる状態に応じて、メインアンテナ１１６及びミリ波アンテナモジュール１１７の作動状態を自動的に切り替えるアンテナ制御方法を提供する。このような制御方法を使用すると、フレキシブルディスプレイが展開又は収納されるとともに、アンテナをより適切な作動状態に自動的に切り替えることができ、ユーザは良好な使用体験を得ることができる。それとともに、モバイル端末のアンテナ性能も向上させる。
【０１２１】
以上のアンテナ制御方法の実施例では、フレキシブルディスプレイ１０２の状態を決定する方法は、様々あってもよく、例示的に、フレキシブルディスプレイ１０２の状態を決定する方法は、ソフトウェア命令を識別することでフレキシブルディスプレイ１０２の状態を識別することであってもよいし、ハードウェアを設ける方式によってフレキシブルディスプレイ１０２の状態を識別することであってもよい。
【０１２２】
一例では、フレキシブルディスプレイ１０２の状態を感知するソフトウェア方式は、制御モジュール６０１の制御命令を識別することでフレキシブルディスプレイ１０２の状態を識別することであってもよい。
【０１２３】
一例では、フレキシブルディスプレイ１０２の状態を感知するハードウェア方式は、モバイル端末上に設けられた状態検出ユニット７０３、センサ、感知機能を有する機械部品のうちの１つ又は複数によりフレキシブルディスプレイ１０２の状態を識別することであってもよい。
【０１２４】
以下の２つの作動方法は、２つの異なる実施例を採用して以下に別々に説明する。
第１、ソフトウェア方式を使用してアンテナを制御する方法。
第２、ソフトウェア及びハードウェアを組み合わせた方式を使用してアンテナを制御する方法。
【０１２５】
図２０は、本発明の一例示的な実施例に係るアンテナ制御方法のフローチャートであり、本実施例では、この方法が図１３に示すモバイル端末に適用される場合を例として説明する。この方法は、下記のステップを含んでもよい。
【０１２６】
ステップ２００１において、フォアグラウンドアプリケーションプログラムのタイプに基づき、フレキシブルディスプレイ１０２が収納状態又は展開状態にあるように制御し、
制御モジュール６０１は、フォアグラウンドアプリケーションプログラムカテゴリがゲーム、ビデオ、リーディング又は他の予め設定されたプログラムカテゴリであるか否かを識別し、そうであれば、ステップ２００２を実行し、そうでなければ、ステップ２００３を実行する。
【０１２７】
ステップ２００２において、フレキシブルディスプレイ１０２が展開状態にあるとき、メインアンテナ１１６が非作動状態にあり、且つミリ波アンテナモジュール１１７が作動状態にあるように制御し、
一例では、制御モジュール６０１は、駆動モジュール６０２に第１の命令を送信してフレキシブルディスプレイ１０２を展開し、メインアンテナ１１６とミリ波アンテナモジュール１１７に第５の命令を送信し、メインアンテナ１１６とミリ波アンテナモジュール１１７を制御して、メインアンテナ１１６が非作動状態にあり、且つミリ波アンテナモジュール１１７が作動状態にあるように作動状態を切り替えさせる。
【０１２８】
ステップ２００３において、フレキシブルディスプレイ１０２が収納状態にあるとき、メインアンテナ１１６が作動状態にあり、且つミリ波アンテナモジュール１１７が非作動状態にあるように制御する。
【０１２９】
一例では、制御モジュール６０１は、駆動モジュール６０２に第３の命令を送信してフレキシブルディスプレイ１０２を収納し、メインアンテナ１１６とミリ波アンテナモジュール１１７に第６の命令を送信し、メインアンテナ１１６とミリ波アンテナモジュール１１７を制御して、メインアンテナ１１６が作動状態にあり、且つミリ波アンテナモジュール１１７が非作動状態にあるように作動状態を切り替えさせる。
【０１３０】
上述を纏めると、本実施例に提供されるアンテナ制御方法は、フォアグラウンドアプリケーションプログラムを識別する方式によって、フレキシブルディスプレイ１０２の状態をインテリジェントに制御するとともに、メインアンテナ１１６及びミリ波アンテナモジュール１１７の作動状態を制御する方法を提供する。フォアグラウンドプログラムと組み合わせてアンテナの作動を制御し、特定のフォアグラウンドプログラムを使用する場合、モバイル端末は、フレキシブルディスプレイ１０２を自動的に展開又は収納し、ユーザのために良好な使用体験を提供し、それとともに、メインアンテナ１１６及びミリ波アンテナモジュール１１７の作動状態を自動的に切り替えて、モバイル端末のアンテナ性能を常に向上させることができる。
【０１３１】
図２１は、本発明の一例示的な実施例に係るアンテナ制御方法のフローチャートである。本実施例では、この方法が図１４に示すモバイル端末適用される場合を例として説明し、この方法は、下記のステップを含んでもよい。
【０１３２】
ステップ２１０１において、状態検出ユニット７０３によりフレキシブルディスプレイ１０２が収納状態又は展開状態にあることを検出し、
一例では、制御モジュール６０１は、状態検出ユニット７０３により検出されたフレキシブルディスプレイ１０２の状態を識別する。フレキシブルディスプレイ１０２が収納状態であれば、ステップ２１０２を実行し、フレキシブルディスプレイ１０２が展開状態であれば、ステップ２１０３を実行する。
【０１３３】
ステップ２１０２において、フレキシブルディスプレイ１０２が収納状態にあるとき、メインアンテナ１１６が作動状態にあり、且つミリ波アンテナモジュール１１７が非作動状態にあるように制御し、
一例では、制御モジュール６０１は、メインアンテナ１１６とミリ波アンテナモジュール１１７に第６の命令を送信し、メインアンテナ１１６とミリ波アンテナモジュール１１７を制御して、メインアンテナ１１６が作動状態にあり、且つミリ波アンテナモジュール１１７が非作動状態にあるように作動状態を切り替えさせる。
【０１３４】
ステップ２１０３において、フレキシブルディスプレイ１０２が展開状態にあるとき、メインアンテナ１１６が非作動状態にあり、且つミリ波アンテナモジュール１１７が作動状態にあるように制御する。
【０１３５】
一例では、制御モジュール６０１は、メインアンテナ１１６とミリ波アンテナモジュール１１７に第５の命令を送信し、メインアンテナ１１６とミリ波アンテナモジュール１１７を制御して、メインアンテナ１１６が非作動状態にあり、且つミリ波アンテナモジュール１１７が作動状態にあるように作動状態を切り替えさせる。
【０１３６】
上述を纏めると、本実施例に提供されるアンテナ制御方法は、状態検出ユニット７０３によりフレキシブルディスプレイ１０２が収納又は展開状態にあることを識別して、メインアンテナ１１６及びミリ波アンテナモジュール１１７の作動状態を制御する方法を提供する。状態検出ユニット７０３を利用してフレキシブルディスプレイ１０２の状態を検出することで、制御モジュール６０１にフレキシブルディスプレイ１０２の状態をリアルタイムで伝達することができ、フレキシブルディスプレイ１０２の状態に対するモバイル端末の感度を向上し、さらにメインアンテナ１１６及びミリ波アンテナモジュール１１７に対する制御精度を向上し、モバイル端末のアンテナ性能を向上させることができる。
【０１３７】
以上のアンテナ制御方法の実施例は、フレキシブルディスプレイ１０２の状態が変化される場合に対して、メインアンテナ１１６及びミリ波アンテナモジュール１１７の作動状態を自動的に調整して、メインアンテナ１１６及びミリ波アンテナモジュール１１７を常に適切な作動環境で作動させ、モバイル端末のアンテナ性能を向上させることができる。
【０１３８】
本発明は、少なくとも１つの命令、少なくとも1つのプログラムセグメント、コードセット又は命令セットが格納されたコンピュータ読み取り可能な記録媒体をさらに提供し、少なくとも1つの命令、少なくとも1つのプログラムセグメント、コードセット又は命令セットがプロセッサーによりロードして実行されて、上記の各方法の実施例に提供されるアンテナ制御方法を実現する。
【０１３９】
本明細書における用語「複数」は、２つ以上を表すことが理解されるべきである。また、用語「及び／又は」は、関連するオブジェクトの関連付けを説明し、３つの関係が存在できることを表し、例えば、Ａ及び／又はＢは、Ａが単独に存在し、Ａ及びＢが同時に存在し、Ｂが単独に存在する３つの場合を表す。また、本明細書における符号「／」は、一般的に前後関連するオブジェクトの間が「又は」の関係であることを表す。
【０１４０】
当業者は、明細書に対する理解、及び明細書に記載された発明に対する実施を介して、本発明の他の実施形態を容易に取得することができる。本発明は、本発明に対する任意の変形、用途、又は適応的な変化を含み、このような変形、用途、又は適応的な変化は、本発明の一般的な原理に従い、本発明では開示していない本技術分野の公知知識、又は通常の技術手段を含む。明細書及び実施例は、単に例示的なものであって、本発明の本当の範囲と主旨は、以下の特許請求の範囲によって示される。
【０１４１】
本発明は、上記で記述され、図面で図示した特定の構成に限定されず、その範囲を離脱しない状況で、様々な修正や変更を実施してもよい。本発明の範囲は、添付される特許請求の範囲のみにより限定される。
【図１】
2021533582.tif 000003
【図２】
2021533582.tif 000004
【図３】
2021533582.tif 000005
【図４】
2021533582.tif 000006
【図５】
2021533582.tif 000007
【図６】
2021533582.tif 000008
【図７】
2021533582.tif 000009
【図８】
2021533582.tif 000010
【図９】
2021533582.tif 000011
【図１０】
2021533582.tif 000012
【図１１】
2021533582.tif 000013
【図１２】
2021533582.tif 000014
【図１３】
2021533582.tif 000015
【図１４】
2021533582.tif 000016
【図１５】
2021533582.tif 000017
【図１６】
2021533582.tif 000018
【図１７】
2021533582.tif 000019
【図１８】
2021533582.tif 000020
【図１９】
2021533582.tif 000021
【図２０】
2021533582.tif 000022
【図２１】
2021533582.tif 000023
【手続補正書】
【提出日】令和1年11月7日(2019.11.7)
【手続補正２】
【補正対象書類名】明細書
【補正対象項目名】０００１
【補正方法】変更
【補正の内容】
【０００１】
本発明は、モバイル端末の分野に関し、特に、モバイル端末、アンテナ制御方法、プログラム及び記録媒体に関する。
【手続補正３】
【補正対象書類名】明細書
【補正対象項目名】０００５
【補正方法】変更
【補正の内容】
【０００５】
本発明の実施例は、フレキシブルディスプレイにミリ波アンテナモジュールを収容するのに十分なスペースがない問題を解決可能なモバイル端末、アンテナ制御方法、プログラム及び記録媒体を提供する。上記の技術手段は、下記の通りである。
【手続補正４】
【補正対象書類名】明細書
【補正対象項目名】００３０
【補正方法】変更
【補正の内容】
【００３０】
本発明の他の態様によれば、プロセッサーにより実行されるときに上記の態様に記載のアンテナ制御方法を実現するためのプログラムが格納された記録媒体が提供される。
本発明の他の態様によれば、プログラムが提供され、プログラムは、プロセッサーに実行されることにより、上記方法を実現する。
【手続補正５】
【補正対象書類名】特許請求の範囲
【補正対象項目名】全文
【補正方法】変更
【補正の内容】
【特許請求の範囲】
【請求項１】
本体と、前記本体に設けられたフレキシブルディスプレイとを含み、
前記フレキシブルディスプレイは、展開状態と収納状態との間で切り替えるように構成され、前記展開状態は、前記フレキシブルディスプレイを第１の面積に展開した状態であり、前記収納状態は、前記フレキシブルディスプレイを第２の面積に縮小した状態であり、前記第１の面積は前記第２の面積よりも大きく、
前記フレキシブルディスプレイのエッジには、ミリ波アンテナモジュールが設けられている
ことを特徴とするモバイル端末。
【請求項２】
前記フレキシブルディスプレイは矩形であり、前記フレキシブルディスプレイの第１の矩形エッジは、前記本体に固定されており、
前記フレキシブルディスプレイの第２の矩形エッジ、第３の矩形エッジ及び第４の矩形エッジの中の少なくとも１つの矩形エッジには、前記ミリ波アンテナモジュールが設けられている
ことを特徴とする請求項１に記載のモバイル端末。 
【請求項３】
前記フレキシブルディスプレイは矩形であり、前記フレキシブルディスプレイの第２の矩形エッジの中央部分は、前記本体に固定され、前記フレキシブルディスプレイの第４の矩形エッジの中央部分は、前記本体に固定されており、前記第２の矩形エッジ及び前記第４の矩形エッジは、平行な２つの矩形エッジであり、
前記フレキシブルディスプレイの第１の矩形エッジ、前記第２の矩形エッジ、第３の矩形エッジ、第４の矩形エッジの中の少なくとも１つの矩形エッジには、前記ミリ波アンテナモジュールが設けられている
ことを特徴とする請求項１に記載のモバイル端末。
【請求項４】
前記ミリ波アンテナモジュールは、離散的に設けられた少なくとも２つのグループである
ことを特徴とする請求項２又は３に記載のモバイル端末。 
【請求項５】
各グループの前記ミリ波アンテナモジュールは、少なくとも２つのミリ波アンテナからなるアンテナアレイを含む
ことを特徴とする請求項４に記載のモバイル端末。
【請求項６】
前記本体内には、制御モジュールがさらに設けられており、前記制御モジュールは、前記ミリ波アンテナモジュールに電気的に接続される
ことを特徴とする請求項５に記載のモバイル端末。
【請求項７】
前記制御モジュールは、
前記フレキシブルディスプレイが前記収納状態にあるとき、前記ミリ波アンテナモジュールが非作動状態にあり、
前記フレキシブルディスプレイが前記展開状態にあるとき、前記ミリ波アンテナモジュールが作動状態にあるように制御するように構成される
ことを特徴とする請求項６に記載のモバイル端末。 
【請求項８】
前記制御モジュールは、フォアグラウンドアプリケーションプログラムのタイプに基づき、前記フレキシブルディスプレイが前記収納状態又は前記展開状態にあるように制御するように構成される
ことを特徴とする請求項７に記載のモバイル端末。 
【請求項９】
前記本体は、状態検出ユニットが設けられており、前記制御モジュールは、前記状態検出ユニットに接続され、
前記制御モジュールは、前記状態検出ユニットにより出力された信号に基づき、前記フレキシブルディスプレイが前記収納状態又は前記展開状態にあることを決定するように構成される
ことを特徴とする請求項７に記載のモバイル端末。
【請求項１０】
前記状態検出ユニットは、前記本体内に設けられたホールセンサ、及び前記フレキシブルディスプレイ側に設けられた磁石を含み、
前記ホールセンサは、前記フレキシブルディスプレイが前記収納状態にあるとき、前記制御モジュールに第１の信号を出力し、前記フレキシブルディスプレイが前記展開状態にあるとき、前記制御モジュールに第２の信号を出力するように構成される
ことを特徴とする請求項９に記載のモバイル端末。
【請求項１１】
前記本体内には、アンテナスイッチがさらに設けられており、
前記アンテナスイッチが第１のスイッチ状態にあるとき、前記ミリ波アンテナモジュールは非作動状態にあり、
前記アンテナスイッチが第２のスイッチ状態にあるとき、前記ミリ波アンテナモジュールは作動状態にある
ことを特徴とする請求項１〜３のいずれか１項に記載のモバイル端末。
【請求項１２】
前記本体内には、メインアンテナがさらに設けられており、
前記メインアンテナは、メインセットアンテナ、又は、前記メインセットアンテナ及びダイバーシティアンテナを含む
ことを特徴とする請求項１〜３のいずれか１項に記載のモバイル端末。
【請求項１３】
前記本体内には、制御モジュールがさらに設けられており、前記制御モジュールは、前記メインアンテナ及び前記ミリ波アンテナモジュールにそれぞれ電気的に接続される
ことを特徴とする請求項１２に記載のモバイル端末。
【請求項１４】
前記制御モジュールは、前記フレキシブルディスプレイが前記収納状態にあるとき、前記メインアンテナが作動状態にあり、且つ前記ミリ波アンテナモジュールが非作動状態にあるように制御し、前記フレキシブルディスプレイが前記展開状態にあるとき、前記メインアンテナが非作動状態にあり、且つ前記ミリ波アンテナモジュールが作動状態にあるように制御するように構成される
ことを特徴とする請求項１３に記載のモバイル端末。
【請求項１５】
前記制御モジュールは、フォアグラウンドアプリケーションプログラムのタイプに基づき、前記フレキシブルディスプレイが前記収納状態又は前記展開状態にあるように制御するように構成される
ことを特徴とする請求項１３に記載のモバイル端末。
【請求項１６】
前記本体は、状態検出ユニットが設けられており、前記制御モジュールは、前記状態検出ユニットに接続され、
前記制御モジュールは、前記状態検出ユニットにより前記フレキシブルディスプレイが前記収納状態又は前記展開状態にあることを検出するように構成される
ことを特徴とする請求項１３に記載のモバイル端末。
【請求項１７】
請求項１〜１０のいずれか１項に記載のモバイル端末に適用されるアンテナ制御方法であって、
前記フレキシブルディスプレイが前記収納状態にあるとき、前記ミリ波アンテナモジュールが非作動状態にあるように制御するステップと、
前記フレキシブルディスプレイが前記展開状態にあるとき、前記ミリ波アンテナモジュールが作動状態にあるように制御するステップと、を含む
ことを特徴とするアンテナ制御方法。
【請求項１８】
フォアグラウンドアプリケーションプログラムのタイプに基づき、前記フレキシブルディスプレイが前記収納状態又は前記展開状態にあるように制御するステップをさらに含む
ことを特徴とする請求項１７に記載のアンテナ制御方法。
【請求項１９】
前記本体は、状態検出ユニットが設けられており、
前記状態検出ユニットにより前記フレキシブルディスプレイが前記収納状態又は前記展開状態にあることを検出するステップをさらに含む
ことを特徴とする請求項１７に記載のアンテナ制御方法。
【請求項２０】
請求項１２〜１６のいずれか１項に記載のモバイル端末に適用されるアンテナ制御方法であって、
前記フレキシブルディスプレイが前記収納状態にあるとき、前記メインアンテナが作動状態にあり、且つ前記ミリ波アンテナモジュールが非作動状態にあるように制御するステップと、
前記フレキシブルディスプレイが前記展開状態にあるとき、前記メインアンテナが非作動状態にあり、且つ前記ミリ波アンテナモジュールが作動状態にあるように制御するステップと、を含む
ことを特徴とするアンテナ制御方法。
【請求項２１】
フォアグラウンドアプリケーションプログラムのタイプに基づき、前記フレキシブルディスプレイが前記収納状態又は前記展開状態にあるように制御するステップをさらに含む
ことを特徴とする請求項２０に記載のアンテナ制御方法。
【請求項２２】
前記本体は、状態検出ユニットが設けられており、
前記状態検出ユニットにより前記フレキシブルディスプレイが前記収納状態又は前記展開状態にあることを検出するステップをさらに含む
ことを特徴とする請求項２０に記載のアンテナ制御方法。
【請求項２３】
請求項１１項に記載のモバイル端末に適用されるアンテナ制御方法であって、
前記アンテナスイッチが第１のスイッチ状態にあるとき、前記ミリ波アンテナモジュールは非作動状態にあるステップと、
前記アンテナスイッチが第２のスイッチ状態にあるとき、前記ミリ波アンテナモジュールは作動状態にあるステップと、を含む
ことを特徴とするアンテナ制御方法。
【請求項２４】
プロセッサーにより実行されることにより、請求項１７〜２３のいずれか１項に記載のアンテナ制御方法を実現するプログラム。
【請求項２５】
請求項２４に記載のプログラムが記憶された記録媒体。
【国際調査報告】
2021533582.tif 000024
2021533582.tif 000025
2021533582.tif 000026
2021533582.tif 000027